(57)【要約】【課題】パソコンとプロジェクタの如き他の装置を接続するときに必要な設定項目の一致の設定を容易に行ったり、このとき変更したパソコンの設定項目を自動的に初めデータに戻すことができる接続設定項目設定装置を提供すること。【解決手段】表示装置の設定情報を読取る表示装置設定情報読取手段１２と、パソコンの設定情報を読取るパソコン設定情報読取手段１３と、パソコンに設定情報を書込むパソコン設定情報書込手段１４を設け、表示装置１とパソコン３とを接続する場合に、表示装置１の設定情報を前記表示装置読取手段１２で読取り、パソコンの設定情報を前記パソコン設定情報読取手段１３で読取り、表示装置の設定情報を前記パソコン設定情報書込手段１４で書込むことにより、表示装置１の設定情報にパソコン３の設定情報を一致させる。【選択図】図２
2005292880.tif 000002
【特許請求の範囲】
【請求項１】
表示装置の設定情報を読取る表示装置設定情報読取手段と、
パソコンの設定情報を読取るパソコン設定情報読取手段と、
パソコンに設定情報を書込むパソコン設定情報書込手段を設け、
表示装置とパソコンとを接続する場合に、表示装置の設定情報を前記表示装置読取手段で読取り、パソコンの設定情報を前記パソコン設定情報読取手段で読取り、表示装置の設定情報を前記パソコン設定情報書込手段で書込むことにより、表示装置の設定情報にパソコンの設定情報を一致させることを特徴とする接続設定項目設定装置。
【請求項２】
表示装置の表示終了後に、前記パソコン設定情報書込手段により、前記パソコン設定情報読取手段で読出していたパソコン設定情報を再びパソコンに設定することを特徴とする請求項１記載の接続設定項目設定装置。
【発明の詳細な説明】
【技術分野】
【０００１】
本発明はプロジェクタの如き表示装置によりパソコンの保持しているデータを表示、説明する場合、表示装置とパソコンの設定項目を一致させて接続することが必要であるが、このような場合に表示装置の設定情報とパソコンの設定情報を簡単に一致させることができる設定装置に関する。
【背景技術】
【０００２】
例えばプロジェクタの如き表示装置をパソコンに無線接続し、パソコンの保持しているデータを表示装置により投写し説明を行うこと、あるいは複数のパソコンとプロジェクタを無線ＬＡＮで接続したネットワークシステムが行われている。
【特許文献１】特開２００１−３２５１６６号公報
【発明の開示】
【発明が解決しようとする課題】
【０００３】
このようにパソコンと表示装置を無線ＬＡＮによりワイヤレスで接続する場合、ＩＰアドレス、サブネットマスク、ＤＨＣＰ・・・等複数の設定項目を、表示装置とパソコンとで一致することが必要である。パソコンと表示装置をケーブルで接続する場合も、サブネットマスク、ＤＨＣＰ・・・等複数の設定項目をこれまた一致させることが必要である。      
【０００４】
すなわち、従来の無線ＬＡＮ機能付き表示装置あるいはＬＡＮケーブル接続機能付き表示装置では、無線ＬＡＮカードもしくはそれに準ずる方式を用いた構成となっており、パソコンとの接続時には、パソコンのＬＡＮ設定項目を変更して表示装置と一致させるための作業が発生してしまう。
【０００５】
この設定項目変更操作は煩わしいものであるとともに、パソコン初心者には実行しにくいものであり、またヘビーユーザであっても通常の使用環境を変更しなければならないため、また表示装置使用終了後は再び初めの設定に戻すことが必要となり、慎重に行うためにストレスが発生するという問題があった。
【課題を解決するための手段】
【０００６】
このような課題を解決するため、本発明では、
（１）表示装置の設定情報を読取る表示装置設定情報読取手段と、パソコンの設定情報を読取るパソコン設定情報読取手段と、パソコンに設定情報を書込むパソコン設定情報書込手段を設け、表示装置とパソコンとを接続する場合に、表示装置の設定情報を前記表示装置読取手段で読取り、パソコンの設定情報を前記パソコン設定情報読取手段で読取り、表示装置の設定情報を前記パソコン設定情報書込手段で書込むことにより、表示装置の設定情報にパソコンの設定情報を一致させることを特徴とする接続設定項目設定装置を提供する。
【０００７】
さらに本発明では、
（２）前記（１）において、表示装置の表示終了後に、前記パソコン設定情報書込手段により、前記パソコン設定情報読取手段で読出していたパソコン設定情報を再びパソコンに設定することを特徴とする接続設定項目設定装置を提供する。
【発明の効果】
【０００８】
本発明により、表示装置の設定情報を自動的に読取り、パソコンにこれを自動的に書込むことができるので、表示装置とパソコンの接続に必要な設定情報の設定をきわめて簡単に、正確に行うことができ、第三者がパソコンを持ち込んだ場合でも速やかにプレゼンテーションを開始することができる。
【０００９】
本発明によれば、パソコンの設定情報を自動的にパソコンに戻すことができるので、初心者でも安心して表示装置にパソコンを接続し、表示装置を積極的に利用することができる。
【発明を実施するための最良の形態】
【００１０】
本発明では、後述するように、表示装置設定情報読取手段と、パソコン設定情報読取手段と、パソコン設定情報書込手段を、例えば図１に示す如く、無線ＬＡＮカード２に設ける。
【００１１】
そして図１（Ａ）に示す如く、無線ＬＡＮプロジェクタの如き表示装置１にこの無線ＬＡＮカード２を挿入し、その表示装置設定情報読取手段により表示装置１の設定情報を読取り、これを保持する。
【００１２】
次に図１（Ｂ）に示す如く、パソコン３にこの無線ＬＡＮカードを挿入し、パソコン３の設定情報をパソコン設定情報読取手段により読取り、これを保持する。それから無線ＬＡＮカード２で保持していた前記無線ＬＡＮプロジェクタの如き表示装置１の設定情報をパソコン設定情報書込手段によりパソコン３に設定する。これにより無線ＬＡＮプロジェクタの如き表示装置１とパソコン３の設定情報を一致させることができ、これらを接続可能状態にすることができる。
【００１３】
それから図１（Ｃ）に示す如く、表示装置１に無線ＬＡＮカード２を挿入すれば表示装置１は、パソコン３と無線接続されパソコン３のデータを表示装置１で投写することができる。このとき、無線ＬＡＮカード２の一部分は、アンテナとして作用する。なおこの例ではパソコン３に無線ＬＡＮ機能が内蔵されている場合について説明したが、ＰＣ３に無線ＬＡＮ機能が内蔵されていない場合は、市販の無線ＬＡＮカードを使用すればよい。
【００１４】
そして、表示装置１における表示動作が終了すると、無線ＬＡＮカード２をパソコン３に再び挿入し、先に保持していたパソコン３の設定情報をパソコン３に再度設定することにより、パソコン３を前の状態に戻すことができる。
【実施例１】
【００１５】
本発明の一実施例を図２、図３、図４にもとづき説明する。図２は本発明の一実施例構成図、図３は本発明の動作説明図（その１）、図４は本発明の動作説明図（その２）である。
【００１６】
図中、他図と同一記号は同一部分を示し、１は表示装置、２は無線ＬＡＮカード、３はパソコン、１０はＣＰＵ、１１はメモリ、１２は表示装置設定情報読取手段、１３はパソコン設定情報読取手段、１４はパソコン設定情報書込手段、１５は入力部、１６は接続端子、１７は無線ＬＡＮ手段である。
【００１７】
表示装置１は、パソコン３に保持されているデータを投写するものであり、パソコン３とは無線ＬＡＮにより接続される無線プロジェクタの如きものである。
【００１８】
無線ＬＡＮカード２は、これを使用することにより無線ＬＡＮ接続可能とする外に、さらに、表示装置１との接続に必要な表示装置１に設定されている設定情報を表示装置１より読み出したり、パソコン３よりパソコンに設定されている設定情報を読出したり、表示装置１より読出した設定情報をパソコン３に設定したり、表示装置１の設定情報が設定されているパソコン３をパソコン３に初めに設定されていた設定情報に戻したりするものである。
【００１９】
ＣＰＵ１０は、無線ＬＡＮカード２に設けられた表示装置設定情報読取手段１２を制御したりパソコン設定情報読取手段１３を制御したり、パソコン設定情報書込手段１４を制御したり、無線ＬＡＮ手段１７を制御するものである。
【００２０】
メモリ１１は、表示装置１の設定情報を一時保持したり、パソコン３の設定情報を一時保持するものである。
【００２１】
表示装置設定情報読取手段１２は、表示装置１の設定情報を読取り、これをメモリ１１に送出するものである。
【００２２】
パソコン設定情報読取手段１３は、パソコン３の設定情報を読取り、これをメモリ１１に送出するものである。
【００２３】
パソコン設定情報書込手段１４は、メモリ１１に保持されているパソコン３の設定情報を読出し、パソコン３に設定するものである。
【００２４】
入力部１５は表示装置１から設定情報を読出すための制御情報が入出力されたり、パソコン３の設定情報を読出し、書込みするための制御情報が入出力するものである。
【００２５】
接続端子１６は、無線ＬＡＮカード２を表示装置１あるいはパソコン３等と接続するときの接続端子である。
【００２６】
無線ＬＡＮ手段１７は、無線ＬＡＮカード２を、例えば表示装置１に挿入するとき、表示装置１を、例えば無線ＬＡＮ機能を内蔵しているパソコン３と無線接続可能にするものであり、周知の構成のものであるので、これ以上の説明は省略する。
【００２７】
本発明の動作を図３、図４のフローに基づき説明する。なお図３のフローは、通信開始までの動作を示し、図４のフローは通信終了後の動作を示す。
【００２８】
Ｓ１．最初に、ユーザは無線ＬＡＮカード２を表示装置１に接続して、釦Ａを押す。これにより入力部１５を経由してＣＰＵ１０に釦Ａの押されたことが通知され、ＣＰＵ１０は表示装置１に対して設定情報の読取りを指示するコマンドを送信する。これにより表示装置１ではこのコマンドを受信し、ＩＰアドレス、サブマスク・・・等の設定情報を返信する。
【００２９】
Ｓ２．無線ＬＡＮカード２では、表示装置設定情報読取手段１２がこれを受信し、メモリ１１の所定の領域に、表示装置１のＩＤ情報（例えばＰＪ１）とともに格納する。
【００３０】
Ｓ３．次にユーザは無線ＬＡＮカード２をパソコン３に接続する。そして釦Ｂを押す。これにより入力部１５を経由してＣＰＵ１０に釦Ｂの押されたことが通知され、ＣＰＵ１０はパソコン３に対して設定情報の読取りを指示するコマンドを送信する。これによりパソコン３ではこのコマンドを受信し、ＩＰアドレス、サブマスク・・・等の設定情報を返信する。
【００３１】
Ｓ４．無線ＬＡＮカード２では、パソコン設定情報読取手段１３がこれを受信し、メモリ１１の所定の領域に、パソコン３のＩＤ情報（例えばＰＣ１）とともに格納する。
【００３２】
Ｓ５．次にＣＰＵ１０は、パソコン設定情報書込手段１４に対し、前記Ｓ２にて格納ずみの受信情報である、表示装置１（ＩＤ情報ＰＪ１）の設定情報をパソコン３に送信させる。これによりパソコン３では表示装置１の設定情報を受信する。そして受信した設定情報にそれまでの所定情報を書替える。この書替完了後にパソコン３は無線ＬＡＮカード２に対し書替完了コマンドを送信する。
【００３３】
Ｓ６．無線ＬＡＮカード２ではこの書替完了コマンドを受信し、パソコン３の設定情報が表示装置１の設定情報に書替えられたことを認識する。
【００３４】
なお、パソコン３では、前記Ｓ５において書替完了コマンドを送信後、内蔵する無線通信機能をオンにする。
【００３５】
また無線ＬＡＮカード２は表示装置１に接続し、今度はこれを通信手段として使用することにより、表示装置１とパソコン３とを無線ＬＡＮで接続することができる。そして接続可能になると、付属のアプリケーションが動作し、パソコン３にメニュー画面が表示され、表示装置１がパソコン３より見えるようになる。ユーザはこのパソコン３上のメニュー画面を選択し表示装置１により投写する画面を選択することができる。
【００３６】
Ｓ７．このようにして表示装置１による投写が全部終了したあとで、ユーザは、図４に示す如く、無線ＬＡＮカード２をパソコン３に再び接続する。それから釦ＡとＢを押す。これにより入力部１５からＣＰＵ１０に対して釦Ａ、Ｂが同時に押されたことが通知され、ＣＰＵ１０はこれを解読してパソコン３に対する設定情報の書替えであることを認識し、パソコン設定情報書込手段１４に対し、メモリ１１より前記Ｓ４で記入したパソコン３の最初の設定情報の読出しと、これをパソコン３に送出、書替えさせることを指示する。
【００３７】
Ｓ８．これによりパソコン設定情報書込手段１４はメモリ１１より、パソコン３の初めの設定情報を読出し、コマンドと共にこれをパソコン３に送信して設定情報の書替えを要求する。パソコン３では前記Ｓ５、Ｓ６で表示装置１の設定情報に書替えたものを受信した初めのパソコン設定情報に再び書替える。そして書替えた後に書替完了コマンドを無線ＬＡＮカード２に送信する。
【００３８】
Ｓ９．無線ＬＡＮカード２ではこの書替完了コマンドを受信し、パソコン３の設定情報が初めのものに書き替えられたことを認識する。
【００３９】
なお前記説明では、無線ＬＡＮカードを使用した例について説明したが、本発明はこれに限定されることなく、有線ＬＡＮでも使用でき、他のパソコンカードに本発明の接続設定項目設定装置を設けることもできる。またドングルに設けてもよい。
【図面の簡単な説明】
【００４０】
【図１】本発明の原理構成図である。
【図２】本発明の一実施例構成図である。
【図３】本発明の動作説明図（その１）である。
【図４】本発明の動作説明図（その２）である。
【符号の説明】
【００４１】
１  表示装置
２  無線ＬＡＮカード
３  パソコン
１０  ＣＰＵ
１１  メモリ
１２  表示装置設定情報読取手段
１３  パソコン設定情報読取手段
１４  パソコン設定情報書込手段
１５  入力部
１６  接続端子
１７  無線ＬＡＮ手段
【図１】
2005292880.tif 000003
【図２】
2005292880.tif 000004
【図３】
2005292880.tif 000005
【図４】
2005292880.tif 000006